(57)【要約】【課題】手を汚さずに女・子供でも極めて簡便に取り扱え、ゴミ入りポリ袋の投入及び回収が容易にでき、路上の収集場所に山積されるゴミ入ポリ袋の動物等によるゴミ散乱公害から守り、街の景観を損なうことを無くす。【解決手段】有底もしくは無底の箱形を呈する容器１の開口上面が、容器１の対向する側壁上端に架設する伸縮自在の帯部材２とこの帯部材２の長手方向と向き合う前壁上端との間に架設された被覆体４に覆われ、且つ帯部材２が壁方向に伸張するとともに被覆体が弛んで開放口を形成する。【選択図】        図１
2004168495.tif 000002
【特許請求の範囲】
【請求項１】
有底もしくは無底の箱形を呈する容器の開口上面が、前記容器の対向する側壁上端に架設する伸縮自在の帯部材とこの帯部材の長手方向と向き合う前壁上端との間に架設された被覆部材とからなる被覆体に覆われ、且つ前記帯部材が前記前壁方向に伸張するとともに前記被覆部材が弛んで開放口を形成することを特徴とするゴミ置き場。
【請求項２】
前記容器の前壁に、開閉可能な回収口を設けた請求項１記載のゴミ置き場。
【請求項３】
前記容器が、内側もしくは外側に屈折して折り畳み可能である側壁を有するとともに、前壁下端にキャスターを、後壁下端に地面へ差し込む突起でなる固定具を付設し、前壁が前後方向に移動可能である請求項１又は２記載のゴミ置き場。
【請求項４】
前記帯部材に取手を設けた請求項１乃至３いずれかに記載のゴミ置き場。
【請求項５】
前記取手が、外側に取手部を有し前記帯部材を挿通するパイプ状である請求項４記載のゴミ置き場。
【請求項６】
前記取手を複数設けた請求項４又は５記載のゴミ置き場。
【請求項７】
前記帯部材を、容器の開口上面の前後方向の中間に２本隣接して架設するとともに、前記容器の後壁上部の内側に滑車を設け、牽引用ひも体の一端を後壁側の帯部材に、他端を前記滑車を経て前壁側の帯部材に固着し、前壁側の帯部材を前壁方向に引くことにより後壁側の帯部材が後壁側に牽引されて開放口を形成する請求項２乃至６いずれかに記載のゴミ置き場。
【請求項８】
前記容器の前壁が後壁よりも低く形成された請求項１乃至７いずれかに記載のゴミ置き場。
【請求項９】
前記被覆部材が伸縮ネットからなる請求項１乃至８いずれかに記載のゴミ置き場。
【請求項１０】
前記帯部材がコイルバネである請求項１乃至９いずれかに記載のゴミ置き場。
【請求項１１】
前記容器が、パイプ材や端面Ｌ形のアングル材等からなる枠材にネットを張った部材及び前記枠材に金属板・プラスチック板・木板・合板等を張った各壁部材により単独で又は前記各壁部材を組み合わせてなる請求項１乃至１０いずれかに記載のゴミ置き場。
【発明の詳細な説明】
【０００１】
【発明の属する技術分野】
本発明は、家庭から排出されるゴミを所定場所に一時的に収集して置く為のゴミ置き場に関する。
【０００２】
【従来の技術】
家庭用から排出される生ゴミや通常ゴミは、一般的に各家庭でポリエチレン製のゴミ収納袋に袋詰めされて、各町内ごとに決められた所定の日に所定の場所に集められ、これをゴミ回収車が来て持ち去るようになっている。
【０００３】
団地等ではその一角に団地内の家庭から排出されるゴミの為にゴミ置き場を設け、持ち込まれたゴミ入ポリ袋が散乱しないように管理しているが、個建てやアパート等、一般家庭から排出されるゴミ入ポリ袋は、ゴミ専用の公共のゴミ置き場が確保できないことから、ゴミ収集日に街路の片隅をゴミ置き場とし山積みにして集められている。
【０００４】
この為、ゴミ収集日の街の景観が損なわれるばかりでなく、カラスや野良猫が生ゴミを収納したゴミ袋を食い破って中身が路上に散乱し、悪臭や衛生問題の発生等、動物によるゴミ公害を引き起こしている。
【０００５】
これらの問題解決のため、これまで実用新案出願公開昭６３−１４８６０１、平４−４０００２、実開平４−１２１９０１、実開平５−５７０１、実開平５−３７７０１、実開平５−４２２０１、実開平７−１３８０１、特許出願公開特開平８−３１０６０１、及び登録実用新案公報実願平１０−６２９７、さらに特願２００２−０７５９３６等で、ゴミ箱やゴミ置き場の各種の提案がなされたが、いずれも本発明によるゴミ置き場のような簡便な投入口及び回収口を備えたものはなかった。
【０００６】
【発明が解決しようとする課題】
そこで本発明は、上記の問題に鑑みてなされたもので、手を汚さずに女・子供でも極めて簡便に取り扱え、ゴミ入りポリ袋の投入及び回収が容易にでき、路上の収集場所に山積されるゴミ入ポリ袋の動物等によるゴミ散乱公害から守り、街の景観を損なうことを無くすために役立つ、ゴミ入ポリ袋の投入及び回収用ゴミ置き場とすることにある。
【０００７】
【課題を解決するための手段】
本発明は、上記の問題を解決する手段として、有底もしくは無底の箱形を呈する容器の開口上面が、前記容器の対向する側壁上端に架設する伸縮自在の帯部材とこの帯部材の長手方向と向き合う前壁上端との間に架設された被覆部材とからなる被覆体に覆われ、且つ前記帯部材を前壁方向に伸張するとともに前記被覆部材が弛んで開放口を形成するものであり、殊に、前記帯部材に取手を設けることで取手を手前に引くと投入口が開くので更に使い勝手がよい。
【０００８】
殊に、容器の前面に取手付きの扉を設け、その扉を下から手前に引くと回収口が開く構造を持たせたことにより回収も容易である。
【０００９】
また、帯部材を、容器の開口上面の前後方向の中間に２本隣接して架設するとともに、前記容器の後壁上部の内側に滑車を設け、牽引用ひも体の一端を後壁側の帯部材に、他端を前記滑車を経て前壁側の帯部材に固着し、前壁側の帯部材を前壁方向に引くことにより後壁側の帯部材が後壁側に牽引されて開放口を形成するようにすることもできる。
【００１０】
更に、前記容器が、内側もしくは外側に屈折して折り畳み可能である側壁を有するとともに、前壁下端にキャスターを、後壁下端に地面への差し込み突起を付設し、前壁が前後方向に移動する場合には、取手を引くと折り畳んである前壁が前へ移動し、後壁と左右両側壁と前壁とでゴミ収納用の容器空間が包囲形成され、取手を押すと再び折り畳むこともできる。
【００１１】
前記容器の高さを、後面より前面を低くし、左右両側壁の高さは、後壁と前壁の中間の所定の位置まで後壁と同じ高さとし、前記所定位置から手前に傾斜を付けて徐々に低くし、前壁との連結点では、前壁と同じ低いレベルの高さになるようにもできる。
【００１２】
前記被覆体の代わりに、横長の織ゴムに伸縮性ネットを取り付けた被覆体を用いることもできる。
【００１３】
更にまた、前記帯部材に複数の取手を設けること、取手付きパイプを施すこと、前記帯部材として織ゴムやコイルバネを用いることもできる。
【００１４】
前記容器が、パイプ材や端面Ｌ形のアングル材等からなる枠材にネットを張った部材及び前記枠材に金属板・プラスチック板・木板・合板等を張った各壁部材を単独で用いるか、又は前記各壁部材を組み合わせて用いることもできる。
【００１５】
【発明の実施の形態】
以下、本発明のゴミ置き場の実施の形態を添付図面を参照しながら詳細に説明
する。
【００１６】
図１は本発明のゴミ置き場についての第１の実施の形態を示すものであり、パイプ材からなる枠材にネットを張った壁部材を使用した四角い箱形の容器１の上面を横長の平織ゴム（幅２ｃｍ〜３ｃｍ程度の平打ちにしたゴムひも）からなる伸縮自在の帯部材２に多数の伸縮性を有するひもである被覆部材３を縦に下げた被覆体４で覆い、前記帯部材２は横軸Ａ−Ａに添って配置し、左右両端を後壁５に接する左右両側壁６，６の上部枠材２９，２９に、又、前記ひもである被覆部材３の先端をそれぞれ容器１における前壁７の上部枠材２９に固定し、さらに前記帯部材２に設けた取手８ａを手前に引くと投入口９が開き、又、箱形の容器１の前壁７に取手８ｂ及び継手１７ｅ・１７ｅで開閉する扉１０を有し、取手８ｂを下から手前に引くと扉１０、即ち回収口１１が開く構造になっている。尚、図１に示した破線は取手８ａを手前に引いて被覆体４を開いた状態の投入口９を示している。又、前記ひもである被覆部材３は特に材料にはこだわらないが、耐久性があり伸縮性に富むアクリル撚糸（太さ約０．２ｃｍ〜０．５ｃｍに撚ったもの）が好ましく、これをコイル状に巻き、形状記憶加工したものを用いるとよい。
【００１７】
本実施の形態では箱形の容器１の奥行が６０ｃｍ以内の四角い箱形の容器１（小型のゴミ置き場）に用いた例を示している。取手８ａの取り付けは取付板１２を用い手前斜め上へ４５°又、取手８ｂの取り付けも手前斜め上へ４５°傾斜をつけて取り付け、操作をし易くし、さらに図１の縦軸Ｂ−Ｂの拡大断面図に示すように、扉１０の下部枠材中央部とこれに接する前壁下部枠材中央部との接点に、ベアリング１３とバネ１４ａの組み合わせでなるストッパー１５を施してある。
【００１８】
特に前記上面被覆体４を、手で上へ開ける蓋に代わり、前述の横長の伸縮自在の帯部材２に多数の伸縮性ひもである被覆部材３を縦に下げた部材、及び下から手前に引いて開く扉１０を採用したことで、前述の不便なゴミ入ポリ袋の投入及び回収問題を解決した。即ち投入口９については、伸縮自在の帯部材２の中央部に取手８ａを設けてあり、前記取手を握り軽く手前に引くと、投入口９が従来のような重い蓋（１キロ〜３キロ）を持上げることなく簡単に開き、女・子供でもゴミ入ポリ袋の投入が容易にでき、取手８ａを放すと伸縮自在の帯部材２がスムーズに元に戻り投入口９が閉じる。
【００１９】
そして回収については、ゴミ入ポリ袋の回収作業が従来のように上蓋を開けたり、前壁を観音開きにしたりせず、取手８ｂ付きの扉１０を手前に開けるだけで、ゴミ入ポリ袋を下から極めて容易に回収でき、しかも回収作業能率も数倍アップされる。
【００２０】
尚、前記四角い容器１は、枠材２９としてパイプ材を用いたが、例えば端面Ｌ字形のアングル材を用いてもよく、又、枠材にネットを張った部材及び金属枠材に金属板・プラスッチク板・木板・合板等を張った各部材の単独か、又は前記各部材を組み合わせて用いることができる。枠材に張るネットには、ナイロン等高分子合成樹脂繊維又はアルミニウム・鉄・ステンレス等の針金を用いる。四角い囲いを連結する部材には継手ではなく、代わりに蝶番を使用してもかまわない（図示せず）。又、前記  箱形の容器１の底壁１６はネットに限らず、金属板・プラスチック板・木板・合板等の各部材を使用してもかまわない。
【００２１】
尚、四角の容器１（ゴミ置き場）の大きさはＳサイズでＨ９０ｃｍ〜１００ｃｍ×Ｗ１００ｃｍ〜１２０ｃｍ×Ｄ５０ｃｍ〜６０ｃｍ、ＭサイズでＨ９０ｃｍ〜１００ｃｍ×Ｗ１２０ｃｍ〜１４０ｃｍ×Ｄ６０ｃｍ〜７０ｃｍ、ＬサイズでＨ９０ｃｍ〜１００ｃｍ×Ｗ１４０ｃｍ〜１６０ｃｍ×Ｄ７０ｃｍ〜１００ｃｍ程度とし、ゴミの出る量によってＳサイズ、Ｍサイズ、又はＬサイズを用い、ゴミが大量に出る地域ではＭサイズ又はＬサイズを２台並べて使用するなど、その地域によってサイズ及び台数を選択できる。又、枠材のパイプの直径は２．０ｃｍ〜２．５ｃｍ程度のものを使用する。
【００２２】
図２は本発明における第２の実施の形態を示すものであり、前記図１に示した実施の形態において箱形の容器１の底壁１６を取り除いた点が異なる。そして、四角い箱形の容器１は、ポリ袋入りゴミを屋外で一時的に保管するものだけに、別に底がなくとも不都合ではなく、むしろ清掃し易く、衛生的であり、又、製造コストも軽減されるメリットさえある。
【００２３】
図３は本発明における第３の実施の形態を示すものであり、前記図１に示した実施の形態における１枚の被覆体４を被覆体４ａ，４ｂの２枚とし、前記四角い箱形の容器１の上面を横軸Ａ−Ａ添いに、前記伸縮自在の帯部材２の部分を背合わせにして枠材に固定し、取手８ａを、２枚のうち手前に位置する被覆体４ａの伸縮自在の帯部材２に、取付板１２を用いて設けたものを示している。この際、前記四角い箱形の容器１の枠材２９にネット２４を張る方法として、事前に枠材２９を被覆する布製筒状被覆部材３０にネット２４を張ったものを用意し、箱形に組み立てる工程で、枠材２９に、前記布製筒状被覆部材３０被覆するだけで、簡便にネット張り工程を完了させる。この実施の形態は箱形の容器１の奥行きが６０ｃｍ以上ある四角い箱形の容器１（中・大型のゴミ置き場）に使用する場合に好ましい。尚、図３の破線は投入口９の大きさを示している。尚、布製筒状被覆部材と伸縮性ひも及び伸縮性ネットの素材は、簡単に熱融着できるナイロン、アクリル等高分子合成繊維を用いるとよい。
【００２４】
図４（ａ）及び図（４ｂ）は本発明における第４の実施の形態を示すものであり、前記第３の実施の形態において四角い箱形の容器１に代わり、回動自在の継手１７で連結した底の面がない四角い囲い状の容器１８をつくり、その後壁５左右下部の枠材近くへ地面に差し込む固定金具１９を取り付け、前壁左右下端枠材にブレーキ２０ａを備えたキャスター２０を設け、又、左右両側壁６・６の枠材には縦軸Ｃ−Ｃから内側へ折り畳まれる構造を持たせ、取手８ｃを引くと折り畳んである四角い囲い状の容器１８の前壁７が前へ移動し、後壁５と左右両側壁６・６と前壁７とで、ゴミ収納用の空間が包囲形成されるこを示しており、図５は取手８ｃを押すと後へ移動し、再び折り畳まる仕組みになっていることを示している。尚、前記キャスター２０は、前壁を移動する際に生じる横ぶれを防止するために双輪キャスターにすることが望ましい。
【００２５】
これをさらに詳しく説明すると、前壁７は、後壁５とほぼ相似形に形成されており、前壁７には、前述の前・後へ移動する為の取手８ｃ及び扉１０を開閉する為の取手８ｂが設けられ、前記扉１０は、前面の縦軸左右枠材７ａ・７ａと前壁７の中央に位置する横軸枠材７ｂが回動自在の継手１７ｃ・１７ｃで、又、左右両側面上下枠材の中央部は、縦軸Ｃ−Ｃから内側へ２つに折り畳む為の回動自在の継手１７ａ・１７ａ・１７ａ・１７ａで枢着されており、さらに前面の上下に位置する横軸枠材７ｃ・７ｃと左右両側面前部の枠材６ａ・６ａ・６ａ・６ａが、又、左右両側面後部の枠材６ｂ・６ｂ・６ｂ・６ｂと後面の左右上下枠材５ａ・５ａ・５ａ・５ａが、それぞれ同様に回動自在の継手１７ｂ・１７ｂ・１７ｂ・１７ｂ・１７ｂ・１７ｂ・１７ｂ・１７ｂで枢着されている。
【００２６】
又、回動自在の継手は、図４（ａ）の拡大図に示す回動自在の継手のように、ただ内側へ２つに折れるだけの普通の回動自在の継手１７ａと、図４（ｂ）の拡大図に示す回動自在の継手のように内側へ２つに折れるのを助けるバネ付き回動自在継手２１の２種類からなる。従って、図４（ａ）のゴミ置き場は後へ移動する際に内側へ２つに折れ易くする為、前壁７を目いっぱい引いても、左右両側壁６・６は僅かに内側へ２つに折れた態様になっており、又、図４（ｂ）のゴミ置き場は後へ移動のさいバネ１４ｂの力で内側へ２つに折れるので、左右両側壁６・６は目いっぱい引くと平面となり僅かに内側へ２つに折れる態様にはならない。この際、キャスター２０にブレーキを掛け、バネの力で内側へ２つに折れないようにする必要がある。尚、バネはバネ止め１４ｃで外れないようにしてある。
【００２７】
一方、前記固定金具１９は、アンカーなどを用い地面に穿設した固定用の穴に差し込むようになっており、又、アンカーの代わりにパイプを突出させ、その下端に固定用金属板を取り付け、アスファルト（コンクリート）の路面にボルトで止めてもよい。そこで、ゴミ置き場は、常時、路上の片隅に固定されており、強風で飛ばされるなど不用意に移動しないようになっている。尚、前記固定金具１９は第１実施の形態の四角い箱１（ゴミ置き場）にも  用いることができる。
【００２８】
図６は本発明における第５の実施の形態を示すものであり、前記四角い箱形の容器１の高さを、後壁５より前壁７を低くし、左右両側壁６・６の高さは、後壁５と前壁７の中間の所定位置まで後壁５と同じ高さとし、前記所定位置から手前に傾斜を設けて徐々に低くし、前壁７との連結点では、前壁７と同じ高さになる例を示したものである。これだと投入口９は手前に傾斜し、背の低い子供でも投入し易くなる。この第５実施の形態は奥行き７０ｃｍ以上のＬサイズに有効である。尚、前記所定の位置とは手の届く位置、即ち前面７から後方へ５０ｃｍ〜６０ｃｍの位置となる。図６の破線は投入口９の大きさを示している。
【００２９】
図７は本発明における第６の実施の形態を示すものであり、前記実施の形態の四角い容器１の後壁５上部中央部に滑車２２を設け、横軸Ａ−Ａ添いに容器１の上面を覆う２枚の被覆体４のうち、手前に位置する被覆体４ａの平織ゴムからなる伸縮自在の帯部材２に備えた取手８ａの下部にロープ２３を取り付け、前記ロープで取手８ａと滑車２２と奥の方に位置する被覆体４ｂの平織ゴム２ｂの中央部を結んだ例を示している（横軸Ｄ−Ｄの拡大図を参照）。従って、取手８ａを手前に引っぱるとロープ２３が作動し、前記容器１（又は囲い状の容器１８）の上面を覆う横に２分割された被覆体４ａ・４ｂは前後へ同時に開き、２倍の大きさの投入口９が得られる。この第６実施の形態は四角い箱１の奥行きが７０ｃｍ以上のサイズに利用するとよい。図７の破線は投入口９の大きさを示している。
【００３０】
図８は本発明における第７の実施の形態を示すものであり、前記被覆体に代わり、横長にした平織ゴムからなる伸縮自在の帯部材２に伸縮性ネット２４を取り付けた被覆体４を用いた例を示したものである。前記伸縮性ネットは、原料として伸縮性の撚糸を用いてゴム編みにしたネットを用いるが、伸縮性のあるネットならどのようなネットを使用してもかまわず、又、別にゴム編みにしなくともよい。
【００３１】
図９は本発明における第８の実施の形態を示すものであり、前記平織ゴムからなる伸縮自在の帯部材２に、２個以上複数の取手８ａを設けたものを示しており、これだと投入口９を取手８ａの数だけ開けることができ、それだけ投入口の幅が広がり投入し易くなる。図９の破線は投入口９の大きさを示している。
【００３２】
図１０（ａ）及び図１０（ｂ）は本発明における第９の実施の形態を示すものであり、例えば前記図３に示した第２実施の形態における被覆体４ａの前記平織ゴムからなる帯部材２の代わりに、直径０．４ｃｍ〜０．８ｃｍ程度の丸織ゴムからなる伸縮自在の帯部材２を用いたものである。更に、本実施の形態は丸織ゴムからなる帯部材２に取手８ａ付きパイプ２５を施した例を示しており、図１０（ａ）は単数又は複数の取手８ａ付きの短いパイプ２５ａを用い、一方、図１０（ｂ）は単数の取手８ａ付きの長いパイプ２５ｂを使用する。取手８ａはパイプ２５ａ及びパイプ２５ｂの中心部に設け、パイプには所定の間隔でひもである被覆部材（又はネット）止め２６を配置する。前記取手付きパイプの長さは、四角い容器１（又は四角い囲い状の初形容器１８）の大・小によって異なるが、短いパイプの長さは１５ｃｍ〜３０ｃｍ程度、又、長いパイプの長さは５０ｃｍ〜８０ｃｍ程度とする。この第９実施の形態だと投入口９が広く開き、投入し易くなる。この場合、どちらかといえば伸縮自在の帯部材２として平織ゴムは不向きであり、丸織ゴム又はコイルバネを使用すると、パイプ内でより均一に伸縮し、開閉し易い。図１０（ａ）及び、図１０（ｂ）の破線は投入口９の大きさを示している。
【００３３】
図１１は本発明における第１０の実施の形態を示すものであり、前記実施の形態で示した伸縮自在の帯部材２として前記実施の形態で示した平織ゴムの代わりに、コイルバネからなる伸縮自在の帯部材２を用いた例を示したものである。コイルバネからなる伸縮自在の帯部材２だと平織ゴムや丸織ゴムからなる伸縮自在の帯部材２より伸縮性及び耐久性に優れ、投入口９の開閉が容易である。この第１０実施の形態の取手８ａの取り付けは、前記の取手８ａ付きの短いパイプ２５ａ、又は取手８ａ付き長いパイプ２５ｂを使用する。又、本実施の形態では、容器１を構成する枠材２９としてパイプ材の代わりに例えば端面Ｌ字形のアングル材を用いており、比較的長尺、つまり、大型の容器１を形成する場合にも曲げ強度が強く、軽量で経済的にも優れている。
【００３４】
尚、図１２に示すように、コイルバネからなる伸縮自在の帯部材２は防水加工の布のチューブ２８で覆うと耐久性に優れ、又、ひもである被覆部材３（又はネット）の先端をひもである被覆部材止め２６を用いて予めチューブ２８に止着しておくとよい。
【００３５】
前記平織ゴム及び丸織ゴム等の帯部材２は、直射日光が照射する屋外に放置すると劣化が早く耐久年数が６ヶ月程度なので、６ヶ月程度ごと劣化した平織ゴム及び丸織ゴム等の帯部材２だけを交換することにより、極めて経済的に効率よい運用を図ることができる。
【００３６】
図１３（ａ）は帯部材２として平織ゴムを用いた場合の交換手段の一例を示すものであり、予め被覆体４を構成する各ひもである被覆部材３の接続部分にリング部分３ａを形成しておき、これらのリング部分３ａに、帯部材２を順次挿通させてその先端をアングル材からなる枠部材２９に連結した開閉式の取付金具３１に取り付ける構成である。又、帯部材２を取り去るには、取付金具３１を開放して帯部材２の噛着を解除し、各ひもである被覆部材３から順次抜き取ればよい。
【００３７】
尚、図１３（ｂ）に示すように、帯部材２の先端２ａおよび各ひもである被覆部材３のリング部分３ａは互いの挿通を容易にするために比較的薄い糊材により固めておくとよく、特に、帯部材２の先端２ａについては澱粉系の糊材が好適であり、また、高分子の合成樹脂製ひもである被覆部材３のリング部３ａについては、例えばアクリルなどひもである被覆部材３の素材に合致した合成樹脂を溶剤に溶かした糊剤を用い、前記糊材を噴霧付着させて固めるのが好ましい。
【００３８】
更に、図１４（ａ）及び（ｂ）は帯部材２として丸織ゴムを用いた場合（図１０参照）の帯部材２についての交換手段の一例を示すものであり、前記図１３に示したアングル材からなる枠材２９に連結した開閉式の取付金具３１が丸形になった点を除いてはほぼ同様である。
【００３９】
【発明の効果】
本発明は、以上説明したような形態で実施され、以下に記載されるような効果を奏する。
【００４０】
四角い箱形或は折り畳める四角い囲い状の容器のゴミ置き場で、上面の被覆体が取手を有する伸縮自在の帯部材付きの伸縮性ひもである被覆部材（又はネット）により形成され、伸縮自在の帯部材または伸縮自在の帯部材に取り付けられた取手を引くと投入口が開き、前壁に設けた取手付き扉を下から手前に引くと回収口が開くのでゴミの投入並びに回収が容易であり、極めて簡便な機能を有し、特に、容器が四角い囲い状の場合には、底壁がなく、後壁左右下部が固定用金具で地面に固定し、前壁左右下端にキャスターがあり、又左右両側壁は内側へ折り畳まるので、取手を引くと前壁が前へ移動し、後壁と左右両側壁と前壁とで容易にごみ収納用の囲いが形成され、さらに軽く取手を押すと、コンパクトに折り畳まり、歩行の障害や街の美観を損うことがなく、そして動物によるゴミ公害を防止し、悪臭や衛生問題なども一挙に解決することができる。
【図面の簡単な説明】
【図１】本発明における第１の実施の形態を示す一部を拡大した斜視図。
【図２】本発明における第２の実施の形態を示す斜視図。
【図３】本発明における第３の実施の形態を示す一部を拡大した斜視図。
【図４】本発明における第４の実施の形態を示す一部を拡大した斜視図。
【図５】本発明における第４の実施の形態の異なる状態を示す斜視図。
【図６】本発明における第５の実施の形態を示す斜視図。
【図７】本発明における第６の実施の形態を示す一部を拡大した斜視図。
【図８】本発明における第７の実施の形態を示す斜視図。
【図９】本発明における第８の実施の形態を示す斜視図。
【図１０】本発明における第９の実施の形態を示す一部を拡大した斜視図。
【図１１】本発明における第１０の実施の形態を示す一部を拡大した斜視図。
【図１２】本発明における第１０の実施の形態を示す部分拡大斜視図。
【図１３】本発明について帯部材の交換手段についての実施の形態を示す拡大斜視図。
【図１４】本発明について異なる帯部材の交換手段についての実施の形態を示す拡大斜視図。
【符号の説明】
１  容器，２  帯部材，３  被覆部材，４  被覆体，５  後壁，６側壁，７前壁，８  取手，９  投入口，１０  扉，１１  回収口，１２  取付板，１３  ベアリング，１４  バネ，１５  ストッパー，１６  底壁，１７  継手，１８  囲い状の容器，１９  固定金具，２０  キャスター，２２  滑車，２３  ロープ，２４  ネット，２５  パイプ，２６  ひも止め，２８  チューブ，２９  枠材，３０  筒状被覆部材，３１  取付金具
【図１】
2004168495.tif 000003
【図２】
2004168495.tif 000004
【図３】
2004168495.tif 000005
【図４】
2004168495.tif 000006
【図５】
2004168495.tif 000007
【図６】
2004168495.tif 000008
【図７】
2004168495.tif 000009
【図８】
2004168495.tif 000010
【図９】
2004168495.tif 000011
【図１０】
2004168495.tif 000012
【図１１】
2004168495.tif 000013
【図１２】
2004168495.tif 000014
【図１３】
2004168495.tif 000015
【図１４】
2004168495.tif 000016
【手続補正書】
【提出日】平成14年12月2日(2002.12.2)
【手続補正１】
【補正対象書類名】明細書
【補正対象項目名】全文
【補正方法】変更
【補正の内容】
【特許請求の範囲】
【請求項１】有底もしくは無底の箱形を呈する容器の開口上面が、前記容器の対向する側壁上端に架設する伸縮自在の帯部材とこの帯部材の長手方向と向き合う前壁上端との間に架設された被覆部材とからなる被覆体に覆われ、且つ前記帯部材が前記前壁方向に伸張するとともに前記被覆部材が弛んで開放口を形成することを特徴とするゴミ置き場。
【請求項２】前記容器の前壁に、開閉可能な回収口を設けた請求項１記載のゴミ置き場。
【請求項３】前記容器が、内側もしくは外側に屈折して折り畳み可能である側壁を有するとともに、前壁下端にキャスターを、後壁下端に地面へ差し込む突起でなる固定具を付設し、前壁が前後方向に移動可能である請求項１又は２記載のゴミ置き場。
【請求項４】前記帯部材に取手を設けた請求項１乃至３いずれかに記載のゴミ置き場。
【請求項５】前記取手が、外側に取手部を有し前記帯部材を挿通するパイプ状である請求項４記載のゴミ置き場。
【請求項６】前記取手を複数設けた請求項４又は５記載のゴミ置き場。
【請求項７】前記帯部材を、容器の開口上面の前後方向の中間に２本隣接して架設するとともに、前記容器の後壁上部の内側に滑車を設け、牽引用ひも体の一端を後壁側の帯部材に、他端を前記滑車を経て前壁側の帯部材に固着し、前壁側の帯部材を前壁方向に引くことにより後壁側の帯部材が後壁側に牽引されて開放口を形成する請求項２乃至６いずれかに記載のゴミ置き場。
【請求項８】前記容器の前壁が後壁よりも低く形成された請求項１乃至７いずれかに記載のゴミ置き場。
【請求項９】前記被覆部材が伸縮ネットからなる請求項１乃至８いずれかに記載のゴミ置き場。
【請求項１０】前記帯部材がコイルバネである請求項１乃至９いずれかに記載のゴミ置き場。
【請求項１１】前記容器が、パイプ材や端面Ｌ形のアングル材等からなる枠材にネットを張った部材及び前記枠材に金属板・プラスチック板・木板・合板等を張った各壁部材により単独で又は前記各壁部材を組み合わせてなる請求項１乃至１０いずれかに記載のゴミ置き場。
【発明の詳細な説明】
【０００１】
【発明の属する技術分野】
本発明は、家庭から排出されるゴミを所定場所に一時的に収集して置く為のゴミ置き場に関する。
【０００２】
【従来の技術】
家庭用から排出される生ゴミや通常ゴミは、一般的に各家庭でポリエチレン製のゴミ収納袋に袋詰めされて、各町内ごとに決められた所定の日に所定の場所に集められ、これをゴミ回収車が来て持ち去るようになっている。
【０００３】
団地等ではその一角に団地内の家庭から排出されるゴミの為にゴミ置き場を設け、持ち込まれたゴミ入ポリ袋が散乱しないように管理しているが、個建てやアパート等、一般家庭から排出されるゴミ入ポリ袋は、ゴミ専用の公共のゴミ置き場が確保できないことから、ゴミ収集日に街路の片隅をゴミ置き場とし山積みにして集められている。
【０００４】
この為、ゴミ収集日の街の景観が損なわれるばかりでなく、カラスや野良猫が生ゴミを収納したゴミ袋を食い破って中身が路上に散乱し、悪臭や衛生問題の発生等、動物によるゴミ公害を引き起こしている。
【０００５】
これらの問題解決のため、これまで実用新案出願公開昭６３−１４８６０１、平４−４０００２、実開平４−１２１９０１、実開平５−５７０１、実開平５−３７７０１、実開平５−４２２０１、実開平７−１３８０１、特許出願公開特開平８−３１０６０１、及び登録実用新案公報実願平１０−６２９７、さらに特願２００２−０７５９３６等で、ゴミ箱やゴミ置き場の各種の提案がなされたが、いずれも本発明によるゴミ置き場のような簡便な投入口及び回収口を備えたものはなかった。
【０００６】
【発明が解決しようとする課題】
そこで本発明は、上記の問題に鑑みてなされたもので、手を汚さずに女・子供でも極めて簡便に取り扱え、ゴミ入りポリ袋の投入及び回収が容易にでき、路上の収集場所に山積されるゴミ入ポリ袋の動物等によるゴミ散乱公害から守り、街の景観を損なうことを無くすために役立つ、ゴミ入ポリ袋の投入及び回収用ゴミ置き場とすることにある。
【０００７】
【課題を解決するための手段】
本発明は、上記の問題を解決する手段として、有底もしくは無底の箱形を呈する容器の開口上面が、前記容器の対向する側壁上端に架設する伸縮自在の帯部材とこの帯部材の長手方向と向き合う前壁上端との間に架設された被覆部材とからなる被覆体に覆われ、且つ前記帯部材を前壁方向に伸張するとともに前記被覆部材が弛んで開放口を形成するものであり、殊に、前記帯部材に取手を設けることで取手を手前に引くと投入口が開くので更に使い勝手がよい。
【０００８】
殊に、容器の前面に取手付きの扉を設け、その扉を下から手前に引くと回収口が開く構造を持たせたことにより回収も容易である。
【０００９】
また、帯部材を、容器の開口上面の前後方向の中間に２本隣接して架設するとともに、前記容器の後壁上部の内側に滑車を設け、牽引用ひも体の一端を後壁側の帯部材に、他端を前記滑車を経て前壁側の帯部材に固着し、前壁側の帯部材を前壁方向に引くことにより後壁側の帯部材が後壁側に牽引されて開放口を形成するようにすることもできる。
【００１０】
更に、前記容器が、内側もしくは外側に屈折して折り畳み可能である側壁を有するとともに、前壁下端にキャスターを、後壁下端に地面への差し込み突起を付設し、前壁が前後方向に移動する場合には、取手を引くと折り畳んである前壁が前へ移動し、後壁と左右両側壁と前壁とでゴミ収納用の容器空間が包囲形成され、取手を押すと再び折り畳むこともできる。
【００１１】
前記容器の高さを、後面より前面を低くし、左右両側壁の高さは、後壁と前壁の中間の所定の位置まで後壁と同じ高さとし、前記所定位置から手前に傾斜を付けて徐々に低くし、前壁との連結点では、前壁と同じ低いレベルの高さになるようにもできる。
【００１２】
前記被覆体の代わりに、横長の織ゴムに伸縮性ネットを取り付けた被覆体を用いることもできる。
【００１３】
更にまた、前記帯部材に複数の取手を設けること、取手付きパイプを施すこと、前記帯部材として織ゴムやコイルバネを用いることもできる。
【００１４】
前記容器が、パイプ材や端面Ｌ形のアングル材等からなる枠材にネットを張った部材及び前記枠材に金属板・プラスチック板・木板・合板等を張った各壁部材を単独で用いるか、又は前記各壁部材を組み合わせて用いることもできる。
【００１５】
【発明の実施の形態】
以下、本発明のゴミ置き場の実施の形態を添付図面を参照しながら詳細に説明する。
【００１６】
図１は本発明のゴミ置き場についての第１の実施の形態を示すものであり、パイプ材からなる枠材にネットを張った壁部材を使用した四角い箱形の容器１の上面を横長の平織ゴム（幅２ｃｍ〜３ｃｍ程度の平打ちにしたゴムひも）からなる伸縮自在の帯部材２に多数の伸縮性を有するひもである被覆部材３を縦に下げた被覆体４で覆い、前記帯部材２は横軸Ａ−Ａに添って配置し、左右両端を後壁５に接する左右両側壁６，６の上部枠材２９，２９に、又、前記ひもである被覆部材３の先端をそれぞれ容器１における前壁７の上部枠材２９に固定し、さらに前記帯部材２に設けた取手８ａを手前に引くと投入口９が開き、又、箱形の容器１の前壁７に取手８ｂ及び継手１７ｅ・１７ｅで開閉する扉１０を有し、取手８ｂを下から手前に引くと扉１０、即ち回収口１１が開く構造になっている。尚、図１に示した破線は取手８ａを手前に引いて被覆体４を開いた状態の投入口９を示している。又、前記ひもである被覆部材３は特に材料にはこだわらないが、耐久性があり伸縮性に富むアクリル撚糸（太さ約０．２ｃｍ〜０．５ｃｍに撚ったもの）が好ましく、これをコイル状に巻き、形状記憶加工したものを用いるとよい。
【００１７】
本実施の形態では箱形の容器１の奥行が６０ｃｍ以内の四角い箱形の容器１（小型のゴミ置き場）に用いた例を示している。取手８ａの取り付けは取付板１２を用い手前斜め上へ４５°又、取手８ｂの取り付けも手前斜め上へ４５°傾斜をつけて取り付け、操作をし易くし、さらに図１の縦軸Ｂ−Ｂの拡大断面図に示すように、扉１０の下部枠材中央部とこれに接する前壁下部枠材中央部との接点に、ベアリング１３とバネ１４ａの組み合わせでなるストッパー１５を施してある。
【００１８】
特に前記上面被覆体４を、手で上へ開ける蓋に代わり、前述の横長の伸縮自在の帯部材２に多数の伸縮性ひもである被覆部材３を縦に下げた部材、及び下から手前に引いて開く扉１０を採用したことで、前述の不便なゴミ入ポリ袋の投入及び回収問題を解決した。即ち投入口９については、伸縮自在の帯部材２の中央部に取手８ａを設けてあり、前記取手を握り軽く手前に引くと、投入口９が従来のような重い蓋（１キロ〜３キロ）を持上げることなく簡単に開き、女・子供でもゴミ入ポリ袋の投入が容易にでき、取手８ａを放すと伸縮自在の帯部材２がスムーズに元に戻り投入口９が閉じる。
【００１９】
そして回収については、ゴミ入ポリ袋の回収作業が従来のように上蓋を開けたり、前壁を観音開きにしたりせず、取手８ｂ付きの扉１０を手前に開けるだけで、ゴミ入ポリ袋を下から極めて容易に回収でき、しかも回収作業能率も数倍アップされる。
【００２０】
尚、前記四角い容器１は、枠材２９としてパイプ材を用いたが、例えば端面Ｌ字形のアングル材を用いてもよく、又、枠材にネットを張った部材及び金属枠材に金属板・プラスッチク板・木板・合板等を張った各部材の単独か、又は前記各部材を組み合わせて用いることができる。枠材に張るネットには、ナイロン等高分子合成樹脂繊維又はアルミニウム・鉄・ステンレス等の針金を用いる。四角い囲いを連結する部材には継手ではなく、代わりに蝶番を使用してもかまわない（図示せず）。又、前記  箱形の容器１の底壁１６はネットに限らず、金属板・プラスチック板・木板・合板等の各部材を使用してもかまわない。
【００２１】
尚、四角の容器１（ゴミ置き場）の大きさはＳサイズでＨ９０ｃｍ〜１００ｃｍ×Ｗ１００ｃｍ〜１２０ｃｍ×Ｄ５０ｃｍ〜６０ｃｍ、ＭサイズでＨ９０ｃｍ〜１００ｃｍ×Ｗ１２０ｃｍ〜１４０ｃｍ×Ｄ６０ｃｍ〜７０ｃｍ、ＬサイズでＨ９０ｃｍ〜１００ｃｍ×Ｗ１４０ｃｍ〜１６０ｃｍ×Ｄ７０ｃｍ〜１００ｃｍ程度とし、ゴミの出る量によってＳサイズ、Ｍサイズ、又はＬサイズを用い、ゴミが大量に出る地域ではＭサイズ又はＬサイズを２台並べて使用するなど、その地域によってサイズ及び台数を選択できる。又、枠材のパイプの直径は２．０ｃｍ〜２．５ｃｍ程度のものを使用する。
【００２２】
図２は本発明における第２の実施の形態を示すものであり、前記図１に示した実施の形態において箱形の容器１の底壁１６を取り除いた点が異なる。そして、四角い箱形の容器１は、ゴミ入りポリ袋を屋外で一時的に保管するものだけに、別に底がなくとも不都合ではなく、むしろ清掃し易く、衛生的であり、又、製造コストも軽減されるメリットさえある。
【００２３】
図３は本発明における第３の実施の形態を示すものであり、前記図１に示した実施の形態における１枚の被覆体４を被覆体４ａ，４ｂの２枚とし、前記四角い箱形の容器１の上面を横軸Ａ−Ａ添いに、前記伸縮自在の帯部材２の部分を背合わせにして枠材に固定し、取手８ａを、２枚のうち手前に位置する被覆体４ａの伸縮自在の帯部材２に、取付板１２を用いて設けたものを示している。この際、前記四角い箱形の容器１の枠材２９にネット２４を張る方法として、事前に枠材２９を被覆する布製筒状被覆部材３０にネット２４を張ったものを用意し、箱形に組み立てる工程で、枠材２９に、前記布製筒状被覆部材３０を被覆するだけで、簡便にネット張り工程を完了させる。この実施の形態は箱形の容器１の奥行きが６０ｃｍ以上ある四角い箱形の容器１（中・大型のゴミ置き場）に使用する場合に好ましい。尚、図３の破線は投入口９の大きさを示している。尚、布製筒状被覆部材と伸縮性ひも及び伸縮性ネットの素材は、簡単に熱融着できるナイロン、アクリル等高分子合成繊維を用いるとよい。
【００２４】
図４（ａ）及び図４（ｂ）は本発明における第４の実施の形態を示すものであり、前記第３の実施の形態において四角い箱形の容器１に代わり、回動自在の継手１７で連結した底の面がない四角い囲い状の容器１８をつくり、その後壁５左右下部の枠材近くへ地面に差し込む固定金具１９を取り付け、前壁左右下端枠材にブレーキ２０ａを備えたキャスター２０を設け、又、左右両側壁６・６の枠材には縦軸Ｃ−Ｃから内側へ折り畳まれる構造を持たせ、取手８ｃを引くと折り畳んである四角い囲い状の容器１８の前壁７が前へ移動し、後壁５と左右両側壁６・６と前壁７とで、ゴミ収納用の空間が包囲形成されるこを示しており、図５は取手８ｃを押すと後へ移動し、再び折り畳まる仕組みになっていることを示している。尚、前記キャスター２０は、前壁を移動する際に生じる横ぶれを防止するために双輪キャスターにすることが望ましい。
【００２５】
これをさらに詳しく説明すると、前壁７は、後壁５とほぼ相似形に形成されており、前壁７には、前述の前・後へ移動する為の取手８ｃ及び扉１０を開閉する為の取手８ｂが設けられ、前記扉１０は、前面の縦軸左右枠材７ａ・７ａと前壁７の中央に位置する横軸枠材７ｂが回動自在の継手１７ｃ・１７ｃで、又、左右両側面上下枠材の中央部は、縦軸Ｃ−Ｃから内側へ２つに折り畳む為の回動自在の継手１７ａ・１７ａ・１７ａ・１７ａで枢着されており、さらに前面の上下に位置する横軸枠材７ｃ・７ｃと左右両側面前部の枠材６ａ・６ａ・６ａ・６ａが、又、左右両側面後部の枠材６ｂ・６ｂ・６ｂ・６ｂと後面の左右上下枠材５ａ・５ａ・５ａ・５ａが、それぞれ同様に回動自在の継手１７ｂ・１７ｂ・１７ｂ・１７ｂ・１７ｂ・１７ｂ・１７ｂ・１７ｂで枢着されている。
【００２６】
又、回動自在の継手は、図４（ａ）の拡大図に示す回動自在の継手のように、ただ内側へ２つに折れるだけの普通の回動自在の継手１７ａと、図４（ｂ）の拡大図に示す回動自在の継手のように内側へ２つに折れるのを助けるバネ付き回動自在の継手１７ａの２種類からなる。従って、図４（ａ）のゴミ置き場は後へ移動する際に内側へ２つに折れ易くする為、前壁７を目いっぱい引いても、左右両側壁６・６は僅かに内側へ２つに折れた態様になっており、又、図４（ｂ）のゴミ置き場は後へ移動のさいバネ１４ｂの力で内側へ２つに折れるので、左右両側壁６・６は目いっぱい引くと平面となり僅かに内側へ２つに折れる態様にはならない。この際、キャスター２０にブレーキを掛け、バネの力で内側へ２つに折れないようにする必要がある。尚、バネはバネ止め１４ｃで外れないようにしてある。
【００２７】
一方、前記固定金具１９は、アンカーなどを用い地面に穿設した固定用の穴に差し込むようになっており、又、アンカーの代わりにパイプを突出させ、その下端に固定用金属板を取り付け、アスファルト（コンクリート）の路面にボルトで止めてもよい。そこで、ゴミ置き場は、常時、路上の片隅に固定されており、強風で飛ばされるなど不用意に移動しないようになっている。尚、前記固定金具１９は第１実施の形態の四角い箱１（ゴミ置き場）にも  用いることができる。
【００２８】
図６は本発明における第５の実施の形態を示すものであり、前記四角い箱形の容器１の高さを、後壁５より前壁７を低くし、左右両側壁６・６の高さは、後壁５と前壁７の中間の所定位置まで後壁５と同じ高さとし、前記所定位置から手前に傾斜を設けて徐々に低くし、前壁７との連結点では、前壁７と同じ高さになる例を示したものである。これだと投入口９は手前に傾斜し、背の低い子供でも投入し易くなる。この第５実施の形態は奥行き７０ｃｍ以上のＬサイズに有効である。尚、前記所定の位置とは手の届く位置、即ち前面７から後方へ５０ｃｍ〜６０ｃｍの位置となる。図６の破線は投入口９の大きさを示している。
【００２９】
図７は本発明における第６の実施の形態を示すものであり、前記実施の形態の四角い容器１の後壁５上部中央部に滑車２２を設け、横軸Ａ−Ａ添いに容器１の上面を覆う２枚の被覆体４のうち、手前に位置する被覆体４ａの平織ゴムからなる伸縮自在の帯部材２に備えた取手８ａの下部にロープ２３を取り付け、前記ロープで取手８ａと滑車２２と奥の方に位置する被覆体４ｂの平織ゴムからなる伸縮自在の帯部材２の中央部を結んだ例を示している（横軸Ｄ−Ｄの拡大図を参照）。従って、取手８ａを手前に引っぱるとロープ２３が作動し、前記容器１（又は囲い状の容器１８）の上面を覆う横に２分割された被覆体４ａ・４ｂは前後へ同時に開き、２倍の大きさの投入口９が得られる。この第６実施の形態は四角い箱１の奥行きが７０ｃｍ以上のサイズに利用するとよい。図７の破線は投入口９の大きさを示している。
【００３０】
図８は本発明における第７の実施の形態を示すものであり、前記被覆体に代わり、横長にした平織ゴムからなる伸縮自在の帯部材２に伸縮性ネット２４を取り付けた被覆体４を用いた例を示したものである。前記伸縮性ネットは、原料として伸縮性の撚糸を用いてゴム編みにしたネットを用いるが、伸縮性のあるネットならどのようなネットを使用してもかまわず、又、別にゴム編みにしなくともよい。
【００３１】
図９は本発明における第８の実施の形態を示すものであり、前記平織ゴムからなる伸縮自在の帯部材２に、２個以上複数の取手８ａを設けたものを示しており、これだと投入口９を取手８ａの数だけ開けることができ、それだけ投入口の幅が広がり投入し易くなる。図９の破線は投入口９の大きさを示している。
【００３２】
図１０（ａ）及び図１０（ｂ）は本発明における第９の実施の形態を示すものであり、例えば前記図３に示した第２実施の形態における被覆体４ａの前記平織ゴムからなる帯部材２の代わりに、直径０．４ｃｍ〜０．８ｃｍ程度の丸織ゴムからなる伸縮自在の帯部材２を用いたものである。更に、本実施の形態は丸織ゴムからなる帯部材２に取手８ａ付きパイプ２５を施した例を示しており、図１０（ａ）は単数又は複数の取手８ａ付きの短いパイプ２５ａを用い、一方、図１０（ｂ）は単数の取手８ａ付きの長いパイプ２５ｂを使用する。取手８ａはパイプ２５ａ及びパイプ２５ｂの中心部に設け、パイプには所定の間隔でひもである被覆部材（又はネット）止め２６を配置する。前記取手付きパイプの長さは、四角い容器１（又は四角い囲い状の容器１８）の大・小によって異なるが、短いパイプの長さは１５ｃｍ〜３０ｃｍ程度、又、長いパイプの長さは５０ｃｍ〜８０ｃｍ程度とする。この第９実施の形態だと投入口９が広く開き、投入し易くなる。この場合、どちらかといえば伸縮自在の帯部材２として平織ゴムは不向きであり、丸織ゴム又はコイルバネを使用すると、パイプ内でより均一に伸縮し、開閉し易い。図１０（ａ）及び、図１０（ｂ）の破線は投入口９の大きさを示している。
【００３３】
図１１は本発明における第１０の実施の形態を示すものであり、前記実施の形態で示した伸縮自在の帯部材２として前記実施の形態で示した平織ゴムの代わりに、コイルバネからなる伸縮自在の帯部材２を用いた例を示したものである。コイルバネからなる伸縮自在の帯部材２だと平織ゴムや丸織ゴムからなる伸縮自在の帯部材２より伸縮性及び耐久性に優れ、投入口９の開閉が容易である。この第１０実施の形態の取手８ａの取り付けは、前記の取手８ａ付きの短いパイプ２５ａ、又は取手８ａ付き長いパイプ２５ｂを使用する。又、本実施の形態では、容器１を構成する枠材２９としてパイプ材の代わりに例えば端面Ｌ字形のアングル材を用いており、比較的長尺、つまり、大型の容器１を形成する場合にも曲げ強度が強く、軽量で経済的にも優れている。
【００３４】
尚、図１２に示すように、コイルバネからなる伸縮自在の帯部材２は防水加工の布のチューブ２８で覆うと耐久性に優れ、又、ひもである被覆部材３（又はネット）の先端をひもである被覆部材止め２６を用いて予めチューブ２８に止着しておくとよい。
【００３５】
前記平織ゴム及び丸織ゴム等の帯部材２は、直射日光が照射する屋外に放置すると劣化が早く耐久年数が６ヶ月程度なので、６ヶ月程度ごと劣化した平織ゴム及び丸織ゴム等の帯部材２だけを交換することにより、極めて経済的に効率よい運用を図ることができる。
【００３６】
図１３（ａ）は帯部材２として平織ゴムを用いた場合の交換手段の一例を示すものであり、予め被覆体４を構成する各ひもである被覆部材３の接続部分にリング部分３ａを形成しておき、これらのリング部分３ａに、帯部材２を順次挿通させてその先端をアングル材からなる枠部材２９に連結した開閉式の取付金具３１に取り付ける構成である。又、帯部材２を取り去るには、取付金具３１を開放して帯部材２の噛着を解除し、各ひもである被覆部材３から順次抜き取ればよい。
【００３７】
尚、図１３（ｂ）に示すように、帯部材２の先端２ａおよび各ひもである被覆部材３のリング部分３ａは互いの挿通を容易にするために比較的薄い糊材により固めておくとよく、特に、帯部材２の先端２ａについては澱粉系の糊材が好適であり、また、高分子の合成樹脂製ひもである被覆部材３のリング部３ａについては、例えばアクリルなどひもである被覆部材３の素材に合致した合成樹脂を溶剤に溶かした糊剤を用い、前記糊材を噴霧付着させて固めるのが好ましい。
【００３８】
更に、図１４は帯部材２として丸織ゴムを用いた場合（図１０参照）の帯部材２についての交換手段の一例を示すものであり、前記図１３に示したアングル材からなる枠材２９に連結した開閉式の取付金具３１が丸形になった点を除いてはほぼ同様である。
【００３９】
【発明の効果】
本発明は、以上説明したような形態で実施され、以下に記載されるような効果を奏する。
【００４０】
四角い箱形或は折り畳める四角い囲い状の容器のゴミ置き場で、上面の被覆体が取手を有する伸縮自在の帯部材付きの伸縮性ひもである被覆部材（又はネット）により形成され、伸縮自在の帯部材または伸縮自在の帯部材に取り付けられた取手を引くと投入口が開き、前壁に設けた取手付き扉を下から手前に引くと回収口が開くのでゴミの投入並びに回収が容易であり、極めて簡便な機能を有し、特に、容器が四角い囲い状の場合には、底壁がなく、後壁左右下部が固定用金具で地面に固定し、前壁左右下端にキャスターがあり、又左右両側壁は内側へ折り畳まるので、取手を引くと前壁が前へ移動し、後壁と左右両側壁と前壁とで容易にごみ収納用の囲いが形成され、さらに軽く取手を押すと、コンパクトに折り畳まり、歩行の障害や街の美観を損うことがなく、そして動物によるゴミ公害を防止し、悪臭や衛生問題なども一挙に解決することができる。
【図面の簡単な説明】
【図１】本発明における第１の実施の形態を示す一部を拡大した斜視図。
【図２】本発明における第２の実施の形態を示す斜視図。
【図３】本発明における第３の実施の形態を示す一部を拡大した斜視図。
【図４】本発明における第４の実施の形態を示す一部を拡大した斜視図。
【図５】本発明における第４の実施の形態の異なる状態を示す斜視図。
【図６】本発明における第５の実施の形態を示す斜視図。
【図７】本発明における第６の実施の形態を示す一部を拡大した斜視図。
【図８】本発明における第７の実施の形態を示す斜視図。
【図９】本発明における第８の実施の形態を示す斜視図。
【図１０】本発明における第９の実施の形態を示す一部を拡大した斜視図。
【図１１】本発明における第１０の実施の形態を示す一部を拡大した斜視図。
【図１２】本発明における第１０の実施の形態を示す部分拡大斜視図。
【図１３】本発明について帯部材の交換手段についての実施の形態を示す拡大斜視図。
【図１４】本発明について異なる帯部材の交換手段についての実施の形態を示す拡大斜視図。
【符号の説明】
１  容器，２  帯部材，３  被覆部材，４  被覆体，５  後壁，６側壁，７前壁，８  取手，９  投入口，１０  扉，１１  回収口，１２  取付板，１３  ベアリング，１４  バネ，１５  ストッパー，１６  底壁，１７  継手，１８  囲い状の容器，１９  固定金具，２０  キャスター，２２  滑車，２３  ロープ，２４  ネット，２５  パイプ，２６  ひも止め，２８  チューブ，２９  枠材，３０  筒状被覆部材，３１  取付金具


【手続補正２】
【補正対象書類名】図面
【補正対象項目名】全図
【補正方法】変更
【補正の内容】
【図１】
2004168495.tif 000017
【図２】
2004168495.tif 000018
【図３】
2004168495.tif 000019
【図４】
2004168495.tif 000020
【図５】
2004168495.tif 000021
【図６】
2004168495.tif 000022
【図７】
2004168495.tif 000023
【図８】
2004168495.tif 000024
【図９】
2004168495.tif 000025
【図１０】
2004168495.tif 000026
【図１１】
2004168495.tif 000027
【図１２】
2004168495.tif 000028
【図１３】
2004168495.tif 000029
【図１４】
2004168495.tif 000030